(57)【要約】【課題】畳構成に細胞に有益な効力を発揮する生体活性シートと面発熱体を設け、その相乗効果で更なる効力を向上させた健康暖房畳とその施工法を提供する。【解決手段】  畳表２下にＳｉＯ２を主成分とし、Ｔｈを微量に含んだ天然鉱石とＧｅ又はＴｉ又は遠赤外線鉱石を全種混合又はそれぞれを混合配合した生体活性シート３と面発熱体５及び放熱シート又は放熱板４と断熱材７で構成し、設けたことを特徴とする健康暖房畳とその施工法を特徴としたものである。【選択図】図１
2005083181.tif 000002
【特許請求の範囲】
【請求項１】
畳表下にＳｉＯ２を主成分とし、Ｔｈを微量に含んだ天然鉱石とＧｅ又はＴｉ又は遠赤外線鉱石を全種混合又はそれぞれを混合配合した生体活性シートを構成させ、その下に放熱シート又は放熱板及び面発熱体を構成させ、その下に面発熱体及び放熱シート又は放熱板を構成させ、畳床と断熱材とを構成させ、設けたことを特徴とする健康暖房畳。
【請求項２】
前記、面発熱体の配線及び接続部を断熱材の配線収納溝に嵌入埋設させ、固定畳及び簡易的畳における施工を柔軟で簡素化させたことを特徴とする請求項１に記載の健康暖房畳の施工法。
【発明の詳細な説明】
【技術分野】
【０００１】  本発明は、畳表下に健康に効力を発揮する生体活性シートと面発熱体の相乗効果で更に効力を向上させた健康暖房畳とその施工法に関するものである。
【背景技術】
【０００２】  近年、新築住宅では、畳の敷かれている日本間の数が少なくなってきている傾向にあり、年齢を追う事に畳部屋の必要性を要求しているのが実態である。そういう中で、畳にいろいろな工夫をこらし、畳の良さをアピールし、日本間への再認識を示している。それらは従来の畳の中にマイナスイオン（特許文献１参照）や遠赤外線（特許文献３参照）などの発生するものを構成させたり、暖房（特許文献２参照）を構成させたり、個々には特徴を出しているが、どれもある程度の効果で終わっている。また、構成材料の価格から安価供給ができなく高価である為、一般には購入に難を示しているのが、現状である。【０００３】  また、暖房を有する畳の施工方法も固定式では床下配線などが多く、簡易式暖房畳（非特許文献１参照）では外側を囲ったパネル形式であることで、畳ユニット自体、部屋の寸法より大きくなり、また、３畳以上の組み合わせができないものである為、部屋に敷き詰めることは困難である。固定式に関しては床面に穴を開け、床下に配線することなどから、建物への加工が必要なことや施工性が悪いことである。
【特許文献１】特開２００３−２７７２０
【特許文献２】特開２００２−９７７７９
【特許文献３】特開２００１−７９９８１
【非特許文献１】（株）エムディケー社の簡易畳暖房ユニット
【発明の開示】
【発明が解決しようとする課題】
【０００４】  本発明はこれら問題を解決し、従来以上の健康に有益な効力を引き出すことができる安価な健康暖房畳を提供するものである。また、施工が容易であると同時に新築、既存の住宅を問わず、また配線などの位置関係を気にすることなく施工可能とし、安価供給を実現した健康暖房畳施工法を提供するものである。
【課題を解決する為の手段】
【０００５】  本発明の請求項１に記載のＳｉＯ２を主成分とする天然鉱石は粉末状態のマイナスイオン発生体であると同時にＴｈを微量に含んだ低放射線であり、これも有効的マイナスイオンの発生源である。又、Ｔｈは極微量の含有である為、安全であると同時に生体細胞の免疫力向上を期待できることは現在、知られているところである。
【０００６】  これらを生体細胞の効果に置き換えると低線量ホルミシス効果と呼び、多くの研究者により、現在ではそのメカニズムが解明されつつある。これらのマイナスイオンは発生バランスが良く、極めて平均的な発生が期待でき、良好な作用を生体細胞にもたらすものである。
【０００７】  Ｇｅ及びＴｉもやはり、生体細胞への有効な影響力があると云われており、多数の著書が出版されている。また、Ｔｉは消臭効果が高いこともあり、近年使用範囲が広くなっているものである。このことから、ＧｅとＴｉを畳に構成させることで、生体への有益な影響と消臭ができるものである。
【０００８】  遠赤外線鉱石に関しての適用は、広範囲であり、壁紙やカバー、シーツなど寝具等にも使用されている。また、人体への効果としては、温熱効果、鎮痛効果、整流効果、リラックス効果、波動上昇効果など存在し、いろいろな分野で利用されている。
【０００９】  前記成分を配合し、人体に対し、従来にない有益な効力を持たせた生体活性シートを加工し、畳に構成させることと、面発熱体を組み合わせることで、それぞれの成分効力の相乗効果が期待できるものである。
【００１０】  請求項１に記載の畳は、畳床を基準にそれぞれを順重ねで構成したものであるが、それを部屋に配列する場合、配線の厚みを表に出さないように断熱材に配線用の溝を設け、そこに配線を嵌入させて組み込んでいる。
【００１１】  断熱材の溝加工は、容易であり、自在な加工ができる為、配線接続部の厚みや配線の結束部などの厚みで段差になる部分が吸収され、違和感がなくなるものである。配線を断熱材の溝に嵌入した後、その上にテープ等を粘着させることにより、外観向上を進める上では必要とも云えるものである。
【００１２】  また、断熱材であることから畳と一体化することで、熱損失率が軽減できると同時に畳床への熱が蓄積され、経済的にも有利である。
【発明の効果】
【００１３】  本発明の健康暖房畳は、畳上に身体を置くことで、リラックス状態ができ、鎮痛効果が現れるものであり、生体細胞への有益な影響は多大である。従って、健康に対する増進が期待でき、疾病予防にも貢献するものである。
【００１４】  このような本発明の健康暖房畳に構成されている断熱材は、加工が容易である為、柔軟な配線接続ができ、どんな形の部屋であろうと配線の収納場所を気にすることなく、作業ができ、床に配線穴を開けるなどの加工がない為、建物への外観を損ねることなく、配列できる。また、畳の移動、組み合わせ及び交換が容易であることも利点である。
【００１５】  断熱材と畳を一体化することで、軽量化、経済性、作業性及び安価に加え、ある程度のクッション性ができる為、座り心地が良く、柔らかさを感じる畳である。
【発明を実施する為の最良の形態】
【００１６】  本発明について、図１を参照に説明をする。コントロールボックス９は壁取付けを基本としたものである。
【００１７】  本発明の健康暖房畳は、畳床６を通常より、薄くして、面発熱体５と放熱シート又は放熱板４と生体活性シート３と畳表２を順重ねに加え、断熱材７を合わせた厚さが、通常の畳の厚さになるようにしたものである。それぞれについては次項で説明をする。
【００１８】  畳表２の下に構成する生体活性シート３の構成成分のひとつは、ＳｉＯ２を主成分とし、Ｔｈを微量に含んでいる天然鉱石であり、生体細胞の免疫力向上、遺伝子損傷修復機能の促進、制ガンや抗ガン作用、活性酸素病に対する効果など多くの研究者によって解明の段階にきており、ホルミシス効果として知られている。ＧｅとＴｉも成分構成されているが、Ｇｅは弱った細胞にエネルギーを与え、細胞の活性化と活性酸素から細胞と遺伝子を守るということで、免疫機能の活性化と自然治癒力向上作用をしているものである。Ｔｉは同様作用と別途作用として消臭作用があることは有名である。これを混合させることにより、消臭畳が期待できるものである。本発明の健康暖房畳に使用している遠赤外線は生育光線とも呼ばれる生体や水分の遠赤外線吸収波長体が４〜１５μｍ内であり、生体細胞への有効性も知られているところである。
【００１９】  前記のように、これら成分を全種混合又はそれぞれを混合配合したシートを作ることで、極めて細胞に有益な生体活性シート３となるものである。
【００２０】  更にこの生体活性シート３に適度な温度を加えてやることで、より一層の効力が高まるものである。本発明は、この熱源を面発熱体５のように畳全体に発生させることで、畳本体１の暖房とこれら効力の相乗効果を得ることができたものである。
【００２１】  面発熱体５の熱を畳全体に均一発生させるには、熱伝導率の高い放熱シート又は放熱板４を面発熱体５と同じ大きさに合わせることで、温度のバランスが保持される。
【００２２】  それぞれの組み立てに関しては、図１によれば、畳床６を基本に断熱材と接着若しくは接合で合わせ、面発熱体５を上に乗せ、面発熱体配線８が入る穴を畳床６と断熱材７を貫通させ、その穴に面発熱体配線８を入れ、断熱材７のそこになる部分より引き出す。順に面発熱体５の上に放熱シート又は放熱板４を乗せ、生体活性シート３を重ね、畳表２で押さえ、通常の畳製作作業を行うものである。この時、畳縁１２の両縁はそれぞれのバランスを確認し、縫合することがポイントである。
【００２３】  面発熱体配線８の収納溝は、配線が引き出された穴位置より、断熱材に面発熱体収納溝１０を掘り、それに添わせるように面発熱体配線８を嵌入させる。その場合、断熱材７底面より出ないようにしてコントロールボックスと接続する。
畳数が増え、面発熱体配線８が多くなった場合の接続も同様、断熱材７の面発熱体配線収納溝１０内に嵌入させ、断熱材７底面より、はみ出さないようにする。この時、粘着テープ等で、面発熱体配線収納溝１０を覆うことは外観上と安全性などを向上できるものである。
【００２４】  次に図２，図３，図４を参照に実施例について説明をする。
【実施例１】
【００２５】  図２はＡ−Ａ′の断面図であり、（Ａ）は、畳床６の上に面発熱体５が乗り、その上に放熱シート又は放熱板４が構成された図で、面発熱体５からの熱が放熱シート又は放熱板４に伝導し、畳表２の温度上昇が即効性である。【００２６】  図２の（Ｂ）は、畳床６の上に放熱シート又は放熱板４が乗り、その上に面発熱体５が構成された図であり、熱が畳床６へ均一に伝わるので、温水暖房に似た比較的やさしい加温分布ができるものである。【００２７】  前記の図（Ａ），（Ｂ）は各々共、断熱材７が厚く設定されていることと、畳床６の両方からの保温能力は、従来に比較して向上した。
【実施例２】
【００２８】  図３は、簡易型の健康暖房畳の断面図であるが、構成における固定型との相違は、コントロールボックス９を畳の端上部の畳表２に粘着などにより、固定したものである。床板の上に１枚以上、何枚でも組み合わせ、簡易的に敷くことができる為、一般住宅はもちろん、福祉施設などの公共施設での、使用が期待できるものである。疲労回復や鎮痛、熟睡など様々な効果が期待でき、使用範囲が、広範囲である。
【実施例３】
【００２９】  図４は、健康暖房畳の施工底面図であり、６畳間の面発熱体配線８の実施例である。各々の畳の面発熱体配線８は面発熱体配線接続部１１からなり、コントロールボックス９に向け、断熱材７の面発熱体配線収納溝１０に集中的に纏められ、畳外のコントロールボックス９内へと接続される。床面への穴加工がない為、施主の不快感がなくなるものである。また、畳を入れ替える場合や畳表２の張替えも容易であり、面発熱体配線接続部１１の接続を外すことだけで可能である。
【図面の簡単な説明】
【００３０】
【図１】本発明の健康暖房畳の斜視図である。
【図２】同上健康暖房畳はＡ−Ａ′の断面図であり、実施例１である。（Ａ）は放熱シート又は放熱板が面発熱体の上である。（Ｂ）は放熱シート又は放熱板が面発熱体の下である。
【図３】同上健康暖房畳の簡易型断面図であり、実施例２である。
【図４】同上健康暖房畳の施工底面図であり、実施例３である。
【符号の説明】
【００３１】  １  畳本体
２  畳表
３  生体活性シート
４  放熱シート又は放熱板
５  面発熱体
６  畳床
７  断熱材
８  面発熱体配線
９  コントロールボックス
１０  面発熱体配線収納溝
１１  面発熱体配線接続部
１２  畳縁
【図１】
2005083181.tif 000003
【図２】
2005083181.tif 000004
【図３】
2005083181.tif 000005
【図４】
2005083181.tif 000006